(57)【特許請求の範囲】
【請求項１】
一定の繰り返し周期毎に送出される信号に基づき、被制御部を構成する複数のボードの内の任意のボードに対して制御データの送信を実行するステップと、前記一定の繰り返し周期毎に送出される信号に基づき、前記被制御部を構成する複数のボードからの状態データの受信を全ての前記ボードから所定の周期で実行するステップと、を含むことを特徴とする盤間制御方法。
【請求項２】
前記制御データ及び状態データの記憶部は、それぞれ１ボード分のデュアル・ポート・メモリ及び複数ボード分のデュアル・ポート・メモリで構成されることを特徴とする請求項１に記載の盤間制御方法。
【請求項３】
前記ボードに対する制御データの送信は、各ボードが実装されるスロットを識別するSLOTID及びボードの種別を識別するPKGIDを付加して全てのボードに対して同報で行われることを特徴とする請求項２に記載の盤間制御方法。
【請求項４】
被制御部と、一定の繰り返し周期毎に送出される信号に基づき、前記被制御部を構成する複数のボードに対して、ＣＰＵの制御により、制御データを送信して各ボードの設定を行うと共に、前記一定の繰り返し周期毎に送出される信号に基づき、前記複数のボードからの状態データの全てを所定周期毎に受信する制御部とにより構成される盤間制御装置であって、前記制御部は、送信用の前記制御データを１ボード分記憶する下り用記憶手段と、前記受信した状態データを複数ボード分記憶する上り用記憶手段と、を含むことを特徴とする盤間制御装置。
【請求項５】
前記下り用記憶手段及び上り用記憶手段は、デュアル・ポート・メモリで構成されていることを特徴とする請求項４に記載の盤間制御装置。
【請求項６】
前記各ボードには、各ボードが実装されるスロットを識別するSLOTID及びボードの種別を識別するPKGIDが付与されていることを特徴とする請求項４又は５に記載の盤間制御装置。
【発明の詳細な説明】
【０００１】
【発明の属する技術分野】
本発明は、１つの制御部と被制御部である複数のボードを収容する装置において、制御部から設定を行うと共に、実装された各ボードからの状態等の情報収集を実行する回路に関する。
【０００２】
【従来の技術】
以下図３及び図４を使用して従来の盤間制御装置の構成及びその使用の形態について説明する。図３は、従来の盤間制御装置の構成を示す図である。図３において、31は制御部、32-1〜32-16は被制御部を構成する複数のボード(0)〜(16)（ボードは例えば、通信装置に用いられる光信号−電気信号変換回路等の回路である。）、33はCPUである。また、制御部31はCPU-I/F（CPUインタフェース）31-1、下り制御部31-2、下り用DPMEM（デュアル・ポート・メモリ）31-3 、セレクタ（SEL）31-4、上り制御部31-5、上り用DPMEM（デュアル・ポート・メモリ）31-6 により構成されている。そして、前記下り用DPMEM31-3及び上り用DPMEM31-6には、それぞれ16SLOT分のデータ記憶容量を備えている。
【０００３】
この盤間制御装置では、CPU33からの指示により、一定の繰り返し周期で、下り制御部31-2で生成されるクロック信号(scc-clk)により、下り用DPMEM31-3から読み出された制御データ(scc-ddt)が、位置信号(scc-fp)に応じた制御ボード32-1〜32-16に順次供給されて、設定される。
【０００４】
下り制御部からの制御データとしては、例えば、ループ設定、LED設定、USER/LINE IF設定、帯域制限設定等の多数の制御データがある。したがって、下り用DPMEM31-3には、上記多数の制御データを16SLOT（ボード数）分だけ蓄積していたので、大容量のデュアル・ポート・メモリを必要としていた。
【０００５】
また、各ボード(0)〜(15)からの状態データは、セレクタ（SEL）31-4介して上り制御部31-5で受信して、上り用DPMEM31-6に記録される。上り制御部からの状態データとしては、ループ情報、TESTパケット受信カウンタ情報、TESTパケット送信カウンタ情報、回線警報情報、盤・盤間故障情報、LED情報等の多数の状態データが含まれ、ボードの監視に利用される。したがって、上り用DPMEM31-6にも、上記多数の状態データを16SLOT（ボード数）分だけ蓄積するので、大容量のデュアル・ポート・メモリを必要とする。
【０００６】
次に、上記従来の盤間制御装置の動作を図４のタイミング図を用いて説明する。図４は、一定の繰り返し周期（図４では100ms間隔）で、0〜15のSLOT（ボード(0)〜(15)）に対して、設定用の制御データを送信すると共に、該０〜15のSLOT（ボード(0)〜(15)）からの、状態データを受信している。
【０００７】
図示の如く、一定の繰り返し周期T1（図４では100ms間隔）の内の所定の期間T2（図４では、20ms）に、位置信号scc-fp(0）〜scc-fp(15)が順次送出され、個々のSLOT（ボード）が指定され、この期間に個々のSLOTに対する制御データ（scc-ddt）の送信（制御部→被制御部）及び状態データ(scc-udt)の受信(制御部←被制御部)が行われる。
【０００８】
次に、上記個々のSLOTに対する制御データの送信及び状態データの受信について、SLOT(0)に対するものを例にして詳細に説明する。SLOT(0)に対する位置信号scc-fp(0)のパルスの立ち上がり後、SLOT(0)に対して、制御データscc-ddtがT3（図４では、1.25ms）の期間に順次送信される。また、SLOT(0)に対する位置信号scc-fp(0)のパルスの立ち上がりから２クロック後、SLOT(0)からの、状態データscc-udtが順次受信される。
【０００９】
上記の、SLOT(0)に対する制御データscc-ddtの送信及びSLOT(0)からの状態データscc-udtの受信と同様の動作が、全てのSLOTに対して順次実行される。そして、上記SLOT(0)〜(15)に対する制御データscc-ddtの送信及びSLOT(0)からの状態データscc-udtの受信が、一定の繰り返し周期（T1）で繰り返し実行されていた。
【００１０】
【発明が解決しようとする課題】
上述の如く、従来の盤間制御装置では、１つの制御部と被制御部である複数のボードを収容するSLOTを有する装置において、制御部から設定を行うと共に、実装された各ボードからの状態等の情報収集を実行するに際して、複数のSLOTを順次指定して、その都度各SLOTに対する制御データscc-ddtの送信及びSLOT(0)からの状態データscc-udtの受信とを実行していたので、下り用DPMEM及び上り用DPMEMにそれぞれ全てのSLOTに対応したデータを蓄積できる容量を必要としていた。
【００１１】
本発明の課題
（目的）は、各SLOTに対する制御データscc-ddtの送信及びSLOT(0)からの状態データscc-udtの受信とを行うに際して、制御データの送信を必要なSLOTに対してのみ行い、状態データの受信は全てのSLOTから所定周期毎に行うようにして、下り用DPMEMには、１SLOT分のデータを蓄積できる容量のみで済ませることにある。
【００１２】
【課題を解決するための手段】
前記課題を解決するために、一定の繰り返し周期毎に送出される信号に基づき、被制御部を構成する複数のボードの内の任意のボードに対して制御データの送信を実行するステップと、前記一定の繰り返し周期毎に送出される信号に基づき、前記被制御部を構成する複数のボードからの状態データの受信を全ての前記ボードから所定の周期で実行するステップとを含む盤間制御方法。（請求項１）
この構成により、各SLOTに対する制御データscc-ddtの送信及びSLOT(0)からの状態データscc-udtの受信とを行うに際して、制御データの送信を必要なSLOTに対してのみ行い、状態データの受信は全てのSLOTから所定周期毎に行うようにして、上り用DPMEMには、１SLOT分のデータを蓄積できる容量のみで済ませることが可能になる。
【００１３】
また、前記制御データ及び状態データの記憶部は、それぞれ１ボード分のデュアル・ポート・メモリ及び複数ボード分のデュアル・ポート・メモリで構成されることによって、高速な制御データの送信及び状態データの受信が可能になる。（請求項２）
【００１４】
また、前記ボードに対する制御データの送信は、各ボードが実装されるスロットを識別するSLOTID及びボードの種別を識別するPKGIDを付加して全てのボードに対して同報で行っても、必要とするボードのみが制御データの受信ができる。（請求項３）
【００１５】
また、被制御部と、一定の繰り返し周期毎に送出される信号に基づき、前記被制御部を構成する複数のボードに対して、ＣＰＵの制御により、制御データを送信して各ボードの設定を行うと共に、前記一定の繰り返し周期毎に送出される信号に基づき、前記複数のボードからの状態データの全てを所定周期毎に受信する制御部とにより構成される盤間制御装置であって、前記制御部は、送信用の前記制御データを１ボード分記憶する下り用記憶手段と、前記受信した状態データを複数ボード分記憶する上り用記憶手段とで盤間制御装置を構成する。（請求項４）
この構成により、上り用DPMEMには、１SLOT分のデータを蓄積できる容量のみで済ませることが可能になる。
【００１６】
また、前記下り用記憶手段及び上り用記憶手段は、デュアル・ポート・メモリで構成する。（請求項５）
また、前記各ボードには、各ボードが実装されるスロットを識別するSLOTID及びボードの種別を識別するPKGIDが付与することによって、全てのボードに対して同報で行っても、必要とするボードのみが制御データの受信ができる。（請求項６）
【００１７】
【発明の実施の形態】
次に本発明の盤間制御装置の構成及びその使用の形態について説明する。図１は、本発明の盤間制御装置の構成を示す図である。図１において、１は制御部、2-1〜2-16は被制御部を構成する複数のボード(0)〜(15)（ボードは例えば、通信装置に用いられる光信号−電気信号変換回路等の回路である。）、３はCPUである。また、制御部１はCPU-I/F（CPUインタフェース）1-1、下り制御部1-2、下り用DPMEM（デュアル・ポート・メモリ）1-3 、セレクタ（SEL）1-4、上り制御部1-5、上り用DPMEM（デュアル・ポート・メモリ）1-6 により構成されている。そして、前記下り用DPMEM1-3には１SLOT分のデータ記憶容量、上り用DPMEM1-6には16SLOT分のデータ記憶容量を備えている。
【００１８】
本発明の各ボード(0)〜(15)には、実装位置によって決定されるSLOTIDと実装されるボードの種別を示すPKGIDを有している。制御部１では、CPU３の指示により、下りデータに制御対象とするSLOTIDとPKGIDを指定し、該当する1つのボードに対して一定の周期毎に１SLOT分のデータを出力して、当該ボードの設定を行う。
【００１９】
この場合、全てのボードに対して同一時間に共通のデータが送信されることになるが、各ボードでは、自己のボードのSLOTID及びPKGIDが一致するデータのみを取り込む機能を有しているので、特定のボードのみの設定が可能になる。なお、下りデータの中にSLOT情報の前にアサインした情報により、SLOTIDを無視させて、全てのボードに対する一括同一設定を行うことも可能である。
【００２０】
下り制御部からの制御データとしては、例えば、ループ設定、LED設定、USER/LINE IF設定、帯域制限設定等の多数の制御データがある。したがって、下り用DPMEM1-3には、CPU３からの変更要求のあるボードに対応した制御データを１SLOT分だけ蓄積すれば良いので、大容量のデュアル・ポート・メモリを必要としない。
【００２１】
また、各ボード(0)〜(15)からの状態データは、図３の場合と同様に、セレクタ（SEL）1-4介して上り制御部1-5で受信して、上り用DPMEM1-6に記録される。上り制御部からの状態データとしては、ループ情報、TESTパケット受信カウンタ情報、TESTパケット送信カウンタ情報、回線警報情報、盤・盤間故障情報、LED情報等の多数の状態データが含まれており、このデータは各ボードの監視に利用される。したがって、上り用DPMEM1-6にも、上記多数の状態データを16SLOT（ボード数）分だけ蓄積するので、大容量のデュアル・ポート・メモリを必要とする。
【００２２】
次に、本発明の盤間制御装置の動作を図２のタイミング図を用いて説明する。図２では、０〜15のSLOT（ボード(0)〜(15)）の内CPU３から変更要求が出されているボード（図２では、ボード(0)）に対して、設定用の制御データを送信している。また、該０〜15のSLOT（ボード(0)〜(15)）からの、状態データを一定の繰り返し周期（図２では100ms間隔）で受信している。
【００２３】
図示の如く、一定の繰り返し周期T1（図２では100ms間隔）毎に、先頭を示すタイミング信号である１つのパルス信号（位置信号scc-fp）が送出される。そして、本発明では、このパルス信号(scc-fp)を基準にして、下りデータ（制御部→被制御部）及び上りデータ（被制御部→制御部）の送受信が行われる。
【００２４】
次に、上記個々のSLOTに対する制御データの送信及び状態データの受信について、SLOT(0)に対するものを例にして詳細に説明する。SLOT(0)に対する位置信号scc-fp(0)のパルスの立ち下がり後、SLOTID(0)及びPKGID(0)と共に、SLOT(0）に対する制御データscc-ddtがT3（図４では、1.25ms）の期間に順次送信される。また、SLOT(0)に対する位置信号scc-fp(0)のパルスの立ち下がりから２クロック後、SLOT(0)からの、状態データscc-udtが順次受信される。
【００２５】
上記の、SLOT(0)からの状態データscc-udtの受信と同様の動作が、全てのSLOTに対して順次実行される。全ての上りデータ（状態データ）の受信が完了すると割込みによってCPU３に通知される。上述の動作が一定の繰り返し周期（T1）（図２では100ms）で繰り返し実行される。
【００２６】
【発明の効果】
請求項１に記載の発明では、一定の繰り返し周期毎に送出される信号に基づき、被制御部を構成する複数のボードの内の任意のボードに対して制御データの送信を実行するステップと、前記一定の繰り返し周期毎に送出される信号に基づき、前記被制御部を構成する複数のボードからの状態データの受信を全ての前記ボードから所定の周期で実行するステップとを含む構成により、各SLOTに対する制御データscc-ddtの送信及びSLOT(0)からの状態データscc-udtの受信とを行うに際して、制御データの送信を必要なSLOTに対してのみ行い、状態データの受信は全てのSLOTから所定周期毎に行うようにして、下り用DPMEMには、１SLOT分のデータを蓄積できる容量のみで済ませることが可能になる。
【００２７】
また、請求項２に記載の発明では、前記制御データ及び状態データの記憶部は、それぞれ１ボード分のデュアル・ポート・メモリ及び複数ボード分のデュアル・ポート・メモリで構成されることによって、高速な制御データの送信及び状態データの受信が可能になる。
【００２８】
また、請求項３に記載の発明では、前記ボードに対する制御データの送信は、各ボードが実装されるスロットを識別するSLOTID及びボードの種別を識別するPKGIDを付加して全てのボードに対して同報で行っても、必要とするボードのみが制御データの受信ができる。
【００２９】
また、請求項４に記載の発明では、被制御部と、一定の繰り返し周期毎に送出される信号に基づき、前記被制御部を構成する複数のボードに対して、ＣＰＵの制御により、制御データを送信して各ボードの設定を行うと共に、前記一定の繰り返し周期毎に送出される信号に基づき、前記複数のボードからの状態データの全てを所定周期毎に受信する制御部とにより構成される盤間制御装置であって、前記制御部は、送信用の前記制御データを１ボード分記憶する下り用記憶手段と、前記受信した状態データを複数ボード分記憶する上り用記憶手段とで盤間制御装置を構成することにより、上り用DPMEMには、１SLOT分のデータを蓄積できる容量のみで済ませることが可能になる。
【００３０】
また、請求項５及び６に記載の発明では、前記下り用記憶手段及び上り用記憶手段は、デュアル・ポート・メモリで構成し、前記各ボードには、各ボードが実装されるスロットを識別するSLOTID及びボードの種別を識別するPKGIDが付与することによって、高速な制御データの送信及び状態データの受信が可能になると共に、全てのボードに対して同報で行っても、必要とするボードのみが制御データの受信ができる。
【図面の簡単な説明】
【図１】本発明の盤間制御回路の構成を示す図である。
【図２】本発明の盤間制御回路の動作を説明するタイミングチャートである。
【図３】従来の盤間制御回路の構成を示す図である。
【図４】従来の盤間制御回路の動作を説明するタイミングチャートである。
【符号の説明】
１ 制御部
1-1 CPU-I/F
1-2 下り制御部
1-3 下り用DPMEM
1-4 セレクタ
1-5 上り制御部
1-6 上り用DPMEM
2-1〜2-16 ボード
３ CPU
【図１】
0004250885.tif 000002
【図２】
0004250885.tif 000003
【図３】
0004250885.tif 000004
【図４】
0004250885.tif 000005